(57)【要約】  本発明は、スクリーンを見ている装用者の眼の少なくとも光学的欠陥を補正するのに好適な眼科用レンズを選択する方法に関する。本発明によれば、方法は：−前記スクリーンを見ている装用者の姿勢の少なくとも１つの特徴を決定するステップ、−装用者が眼科用レンズを装用しているときに前記スクリーンを読みやすくすることができる、前記視力ゾーンに関連付けられたジオプトリー度数の値を決定するステップ、−前記スクリーンに対する装用者の光の露出を調整するためのフィルタリング手段の少なくとも１つの特徴を決定するステップ、及びジオプトリー度数の値、装用者の姿勢の特徴及びフィルタリング手段の特徴に基づいて、視力ゾーンを決定して、眼科用レンズを装用してスクリーンを見ているときに、装用者の視力の快適性が最適にされるようにするステップを含む。
2018512621.tif 000002
【特許請求の範囲】
【請求項１】
スクリーン（２０）を見ているときの装用者（１００）の視力の快適性を向上させるのに好適な眼科用レンズ（１０）の決定方法であって、前記眼科用レンズは視力ゾーン（１１）を含み、前記視力ゾーンはフィルタリング手段（１２）を備える決定方法において、前記方法は：
−  前記スクリーン（２０）を見ている前記装用者（１００）の姿勢（α、β、Ｄ）の少なくとも１つの特徴を決定するステップ、
−  前記装用者（１００）が前記眼科用レンズ（１０）を装用しているときに前記スクリーン（２０）を読みやすくすることができる、前記視力ゾーン（１１）に関連付けられるジオプトリー度数の値（Ｐ１）を決定するステップ、
−  前記スクリーン（２０）に対する前記装用者（１００）の光の露出を調整するために、前記フィルタリング手段（１２）の少なくとも１つの特徴を決定するステップ、及び
−  前記ジオプトリー度数の値（Ｐ１）、及び姿勢（α、β、Ｄ）の前記少なくとも１つの特徴に基づいて、前記視力ゾーン（１１）の位置を決定して、前記眼科用レンズ（１０）を装用してスクリーン（２０）を見ているときに前記装用者（１００）の前記視力の快適性が最適にされるようにするステップ
を含む、決定方法。
【請求項２】
−  前記方法は、例えば非老眼、老眼手前、老眼進行中、及び老眼から選択される、前記装用者の老眼の程度を決定する追加的なステップを含み、及び
−  ジオプトリー度数の値（Ｐ１）を決定する前記ステップは、老眼の前記程度に応じて行われることを特徴とする、請求項１に記載の決定方法。
【請求項３】
−  前記方法は、前記装用者（１００）が感じる眼精疲労の前記程度を決定する追加的なステップを含み、及び
−  ジオプトリー度数の値（Ｐ１）を決定する及び／又はフィルター（１２）を決定する前記ステップは、眼精疲労の前記程度に応じて行われることを特徴とする、請求項１又は２に記載の決定方法。
【請求項４】
−  前記方法は、前記装用者の年齢を決定する追加的なステップを含み、及び
−  ジオプトリー度数の値（Ｐ１）を決定する及び／又はフィルター（１２）を決定する前記ステップは、前記年齢に応じて行われることを特徴とする、請求項１〜３のいずれか一項に記載の決定方法。
【請求項５】
−  前記方法は、前記スクリーン（２０）の使用頻度を決定する追加的なステップを含み、及び
−  ジオプトリー度数の値（Ｐ１）を決定する及び／又はフィルター（１２）を決定する前記ステップは、前記使用頻度に応じて行われることを特徴とする、請求項１〜４のいずれか一項に記載の決定方法。
【請求項６】
−  前記スクリーン（２０）は、様々なタイプ：テレビのモニター、デスクトップコンピュータのモニター、ラップトップスクリーン、ファブレットスクリーン、タブレットスクリーン、スマートフォンスクリーン及び／又はウォッチスクリーンから選択され、及び
−  前記ジオプトリー度数の値（Ｐ１）は、前記眼科用レンズ（１０）上の、選択された前記スクリーンのタイプに応じて決定された位置に置かれることを特徴とする、請求項１〜５のいずれか一項に記載の決定方法。
【請求項７】
姿勢の前記特徴が、装用者の眼−スクリーン距離（Ｄ）、体幹角度、頭部角度（α）、体幹角度における頭部、及び下向き視線角（β）から選択されることを特徴とする、請求項１〜６のいずれか一項に記載の決定方法。
【請求項８】
前記フィルター（１２）が、１０ｎｍを上回る幅を有する波長範囲において、前記眼科用レンズ（１０）を通る可視光の透過を少なくとも５％だけ低下させることを特徴とする、請求項１〜７のいずれか一項に記載の決定方法。
【請求項９】
姿勢（α、β、Ｄ）の特徴を決定する、ジオプトリー度数の値（Ｐ１）を決定する、及びフィルター（１２）を決定する各ステップが、少なくとも一部には、コンピュータによって実行されることを特徴とする、請求項１〜８のいずれか一項に記載の決定方法。
【請求項１０】
スクリーン（２０）を見ているときの装用者（１００）の視力の快適性を向上させるのに好適な眼科用レンズ（１０）であって、前記眼科用レンズ（１０）は：
−  前記装用者（１００）が前記眼科用レンズ（１０）を装用しているときに前記スクリーン（２０）を読みやすくすることができる、ジオプトリー度数の値（Ｐ１）、
−  前記スクリーン（２０）に対する前記装用者（１００）の前記光の露出を調整するためのフィルタリング手段（１２）の特徴
に基づくフィルタリング手段（１２）を備える視力ゾーン（１１）を含むため、前記視力ゾーン（１１）は超近方視ゾーンであり、前記眼科用レンズ（１０）を装用して前記スクリーン（２０）を見ているときに、前記装用者（１００）の前記視力の快適性は最適にされる、眼科用レンズ。
【請求項１１】
フィルタリング手段（１２）を備える前記超近方視ゾーン（１１）は、安定化された視力ゾーンである、請求項１０に記載の眼科用レンズ（１０）。
【請求項１２】
前記眼科用レンズは、遠方視ゾーン、中間視ゾーン及び近方視ゾーンから選択される少なくとも１つの安定化された視力ゾーンを含む、請求項１０又は１１に記載の眼科用レンズ（１０）。
【請求項１３】
前記眼科用レンズは前主面（１４）及び後主面（１５）を含み、及び前記フィルター（１２）は、前記前主面（１４）及び／又は前記後主面（１５）の少なくとも一部に置かれることを特徴とする、請求項１０〜１２のいずれか一項に記載の眼科用レンズ（１０）。
【請求項１４】
前記フィルター（１２）の平均反射係数は、４２０ｎｍ〜４５０ｎｍ間に含まれる波長範囲全体にわたって少なくとも５％であることを特徴とする、請求項１３に記載の眼科用レンズ（１０）。
【請求項１５】
眼科用レンズ（１０）の装用者（１００）に前記眼科用レンズ（１０）のレーティング（Ｒａ）を提供する方法において、
−  前記装用者（１００）がスクリーン（２０）を読みやすくすることができる、ジオプトリー度数の値（Ｐ１）を特定するステップ、
−  前記スクリーン（２０）に対する前記装用者（１００）の前記露出を調整するフィルター（１２）を特定するステップ、
−  前記ジオプトリー度数の値（Ｐ１）及び前記フィルター（１２）に応じて、前記レーティング（Ｒａ）を決定するステップ、及び
−  前記装用者（１００）に前記レーティング（Ｒａ）を提供するステップ
を含むことを特徴とする、方法。
【発明の詳細な説明】
【技術分野】
【０００１】
本発明は、概して、視力の快適性を向上させるのに好適な眼鏡の準備に関する。
【背景技術】
【０００２】
本発明は、より詳細には、デジタル機器のスクリーンを見ている装用者の視力の快適性を向上させるのに好適な眼科用レンズを決定する方法に関する。
【０００３】
眼鏡の装用者は、屈折力補正が処方され得る。
【０００４】
老眼のある装用者では、屈折力（ｐｏｗｅｒ）補正の値は、近方視における遠近調節が困難であることに起因して、遠方視と近方視とで異なる。それゆえ、老眼のある装用者に好適な眼科用レンズは多焦点レンズであり、最も好ましくは、累進多焦点レンズである。
【０００５】
他の装用者では、屈折力補正の値は、ほぼ、レンズの全表面で同じである。
【０００６】
最近では、スマートフォン、タブレット、コンピュータ、ＴＶなどのデジタル機器が、ますます、なくてはならないものになってきている。
【０００７】
そのようなデジタル機器の使用は、そのような機器のスクリーン上に表示されているものを読むときの我々の振る舞いを変化させた。
【０００８】
スクリーンの使用に関する文献データでは、視距離にかなりのばらつきがあることが示されている（Ｊａｓｃｈｉｎｓｋｉ  ２００２“Ｔｈｅ  ｐｒｏｘｉｍｉｔｙ−Ｆｉｘａｔｉｏｎ−Ｄｉｓｐａｒｉｔｙ  ｃｕｒｖｅ  ａｎｄ  ｔｈｅ  ｐｒｅｆｅｒｒｅｄ  ｖｉｅｗｉｎｇ  ｄｉｓｔａｎｃｅ  ａｔ  ａ  ｖｉｓｕａｌ  ｄｉｓｐｌａｙ  ａｓ  ａｎ  ｉｎｄｉｃａｔｏｒ  ｏｆ  ｎｅａｒ  ｖｉｓｉｏｎ  ｆａｔｉｇｕｅ”．Ｏｐｔｏｍｅｔｒｙ  ａｎｄ  Ｖｉｓｉｏｎ  Ｓｃｉｅｎｃｅ；Ｖｏｌ．７９，Ｎｏ．３，ｐｐ１５８−１６９）。この論文では、著者らは、スクリーンを可能な限り快適に自由に配置できる状態にある４０人に対して、スクリーンまでの距離を測定した。装用者の両眼とスクリーンとの間で測定された距離は、スクリーンのサイズに依存するという結果が示された。
【０００９】
それゆえ、スクリーン、主に、新しいデジタルスクリーンを使用する際の個人のばらつきに適合される眼科用レンズが必要とされる。
【発明の概要】
【発明が解決しようとする課題】
【００１０】
本発明の１つの目的は、テキストを読むとき又は新しいデジタルスクリーンで作業するときに、装用者の視力の快適性を向上させるために、そのような眼科用レンズを提供することにある。
【課題を解決するための手段】
【００１１】
本発明の目的は、スクリーンを見ているときの装用者の視力の快適性を向上させるのに好適な眼科用レンズを決定する方法であって、眼科用レンズは、視力ゾーンを含み、視力ゾーンはフィルタリング手段を備える方法において、方法は：
−  前記スクリーンを見ている装用者の姿勢の少なくとも１つの特徴を決定するステップ、
−  装用者が眼科用レンズを装用しているときに前記スクリーンを読みやすくすることができる、前記視力ゾーンに関連付けられたジオプトリー度数の値を決定するステップ、
−  前記スクリーンに対する装用者の光の露出を調整するために、フィルタリング手段の少なくとも１つの特徴を決定するステップ、及び
−  前記ジオプトリー度数の値、及び装用者の姿勢の前記少なくとも１つの特徴に基づいて、視力ゾーンの位置を決定して、眼科用レンズを装用してスクリーンを見ているときに、装用者の視力の快適性が最適にされるようにするステップ
を含む、方法にある。
【００１２】
紙の文書を読むための光学的なニーズと、デジタル機器のスクリーン上で読むための光学的なニーズとは、同じではない。
【００１３】
実際に、読む作業は、視線方向（ｇａｚｅ  ｄｉｒｅｃｔｉｏｎ）の平均下向き角度、及び平均距離：
−  紙の文書に対しては、１８°−４０ｃｍ超；
−  タブレットスクリーンに対しては、２０°−３９ｃｍ
−  スマートフォンスクリーンに対しては、２５°−３３ｃｍ
で行われる。
【００１４】
さらに、デジタル機器が放射する光の輝度及びスペクトルは、通常の自然照明又は人工照明とは異なる。
【００１５】
確かに、眼は、小さなスクリーン上に表示された画素化した文字を読んだり、非常に短い距離で見たり、及びある距離から別の距離へと迅速に焦点を合わせたりするために、より強く焦点を合わせる必要がある。さらに、眼は、より多くのスクリーンのグレアに耐える必要があり、及びスクリーンが眼からわずかな距離で保持されるときには、より有害な青−紫光に暴露される。そのような条件は、不快感及び／又は眼精疲労（「目の疲れ」）を増し、且つ網膜を悪化させる可能性がある。
【００１６】
本発明の趣旨が、デジタル機器のスクリーン上で読むことに特化された、フィルタリング手段を備える視力ゾーン（「超近方視ゾーン」）を含む眼科用レンズを決定することであるのは、そのためである。多焦点レンズでは、この超近方視ゾーンは、レンズの鼻側縁の方へ横方向にシフトされた状態で、近方視ゾーンの下に、この近方視ゾーンの直下に、配置され得る。
【００１７】
特定のジオプトリー度数（「特別な屈折力（ｅｘｔｒａ  ｐｏｗｅｒ）」）及び特定のフィルタリング手段（「フィルター」）を備える視力ゾーン（「超近方視ゾーン」）を提供することによって、眼科用レンズを装用してスクリーンを見ているときの装用者の視力の快適性は、向上する。
【００１８】
より詳細には、視力の快適性は、以下の理由で、増す：
−  視力ゾーンに関連付けられた特別な屈折力が、デジタル機器のスクリーン上で読んでいるときの目の疲れを軽減する、
−  特別な屈折力は拡大効果を有して、小さな文字を読みやすくする、
−  フィルタリング手段は、装用者がスクリーンから過度の光を受けないようにして、ぼけ及びグレアを回避し、及び有害な光から網膜を保護する、並びに
−  スクリーンを見ている最中に眼科を装用しているときの装用者の姿勢が、楽になる。
【００１９】
本発明人らが、本発明に従って決定された眼科用レンズの装用者は、デジタル機器の使用時に、頭痛、疲れ目、首や肩の痛みをあまり感じなかったことを観察したことは驚きである。
【００２０】
下記において、テキストを又はスクリーン上で「読む」という用語は、読む、画像を見る、書く／テキストメッセージを打つ（ｔｅｘｔｉｎｇ）のような、眼の焦点をデジタルスクリーン上に合わせることを伴う、いくつかの活動を含む。
【００２１】
本発明の別の利点は、老眼のある装用者が、紙の文書での装用者の習慣、すなわち、小さな文字を読もうとするために、装用者の眼から離すように文書を動かす習慣を維持できるようにすることである。実際、特別な屈折力の拡大効果のおかげで、装用者は、装用者がスクリーンを装用者の眼から離すように動かす場合でも、小さな文字を読めるかもしれない。
【００２２】
この関連では、スクリーン上で読むのに好適な眼科用レンズのゾーンの位置は、主に装用者によって使用される異なるスクリーンに応じて異なり得る（テレビのモニター、デスクトップコンピュータのモニター、ラップトップスクリーン、ファブレット（ｐｈａｂｌｅｔ）スクリーン、タブレットスクリーン、スマートフォンスクリーン、ウォッチスクリーン）ことが留意され得る。
【００２３】
単独で又は組み合わせて考慮され得るさらなる実施形態によれば：
−  方法は、例えば非老眼、老眼手前（ｐｒｅ−ｐｒｅｓｂｙｏｐｉｃ）、老眼進行中（ｉｎｃｒｅａｓｉｎｇ  ｐｒｅｓｂｙｏｐｉａ）、及び老眼から選択される、装用者の老眼の程度を決定する追加的なステップを含み、及び特別な屈折力を選択する前記ステップは、老眼の前記程度に応じて行われる。この老眼の程度は、“Ｍｉｎｕｓ  ｌｅｎｓ  ｓｔｉｍｕｌａｔｅｄ  ａｃｃｏｍｍｏｄａｔｉｖｅ  ａｍｐｌｉｔｕｄｅ  ｄｅｃｒｅａｓｅｓ  ｓｉｇｍｏｉｄａｌｌｙ  ｗｉｔｈ  ａｇｅ：ａ  ｓｔｕｄｙ  ｏｆ  ｏｂｊｅｃｔｉｖｅｌｙ  ｍｅａｓｕｒｅｄ  ａｃｃｏｍｍｏｄａｔｉｖｅ  ａｍｐｌｉｔｕｄｅ  ｆｒｏｍ  ａｇｅ  ３”．Ｉｎｖｅｓｔｉｇａｔｉｖｅ  Ｏｐｈｔｈａｌｍｏｌｏｇｙ  ＆  Ｖｉｓｕａｌ  Ｓｃｉｅｎｃｅ．Ｖｏｌ．４９，Ｎ°７，ｐｐ２９１９−２９２６に説明されているように、遠近調節の目標振幅によって測定され得る；
−  方法は、装用者が感じる眼精疲労の程度を決定する追加的なステップを含み、及び特別な屈折力を決定する前記ステップは、眼精疲労の前記程度に応じて行われる；
−  方法は、装用者の年齢を決定する追加的なステップを含み、及び特別な屈折力を決定する前記ステップは、前記年齢に応じて行われる；
−  方法は、スクリーンの使用頻度を決定する追加的なステップを含み、及び特別な屈折力を決定する前記ステップは、前記使用頻度に応じて行われる；
−  スクリーンは、様々なタイプ：テレビのモニター、デスクトップコンピュータのモニター、ラップトップスクリーン、ファブレットスクリーン、タブレットスクリーン、スマートフォンスクリーン及び／又はウォッチスクリーンから選択され、及び特別な屈折力は、前記眼科用レンズ上の、選択されたタイプに応じて決定された位置に配置される；
−  姿勢の前記特徴は、装用者の眼−スクリーン距離、体幹角度、頭部角度、体幹角度における頭部、及び下向き視線角から選択される；
−  特別な屈折力は、眼科用レンズの下方部分に、好ましくは２１°を上回る下向き視線角に対応するゾーンに配置される；
−  特別な屈折力は、姿勢の特徴に応じて決定されたゾーンに配置される；
−  前記特別な屈折力は、０．１２５〜１ジオプトリーに含まれる値を有する；
−  前記フィルターは、１０ｎｍを上回る幅を有する波長範囲において、眼科用レンズを通る可視光の透過を少なくとも５％だけ低減させる；
−  姿勢の特徴を決定する、特別な屈折力を決定する、及びフィルターを決定する各ステップが、少なくとも一部には、コンピュータによって実行される。
【００２４】
本発明はまた、スクリーンを見ているときの装用者の視力の快適性を向上させるのに好適な眼科用レンズであって、眼科用レンズは：
−  装用者が眼科用レンズを装用しているときに前記スクリーンを読みやすくすることができる、ジオプトリー度数の値、
−  前記スクリーンに対する装用者の光の露出を調整するための、フィルタリング手段の特徴
に基づくフィルタリング手段を備える視力ゾーンを含むため、視力ゾーンは超近方視ゾーンであり、装用者の視力の快適性は、眼科用レンズを装用してスクリーンを見ているときに最適にされる、眼科用レンズに関する。
【００２５】
単独で又は組み合わせて考慮され得るさらなる実施形態によれば：
−  フィルタリング手段を備える超近方視ゾーンは、前記スクリーンを見ている装用者の姿勢の少なくとも１つの特徴に基づく、
−  超近方視ゾーンは、２１°を上回る、前記スクリーンを見ている装用者の下向き視線角βに対応する、
−  フィルタリング手段を備える超近方視ゾーンは、安定化された視力ゾーンである；
−  眼科用レンズは、超近方視ゾーンとは異なり且つ遠方視ゾーン、中間視（ｉｎｔｅｒｍｅｄｉａｔｅ  ｖｉｓｉｏｎ）ゾーン及び近方視ゾーンから選択される少なくとも１つの安定化された視力ゾーンを含む；
−  超近方視ゾーンのジオプトリー度数の値は、０．１２５よりも大きい、
−  眼科用レンズは前主面及び後主面を含み、及び前記フィルターは、前記前主面及び／又は前記後主面の少なくとも一部に置かれる；
−  前記フィルターは、１０ｎｍ超の幅を有し且つ、少なくとも、４２０ｎｍ〜４５０ｎｍ間又は４６０ｎｍ〜４９０ｎｍ間又は４８５ｎｍ〜５１５ｎｍ間又は５６０ｎｍ〜６２０ｎｍ間の波長で構成される平均波長を中心とする選択波長範囲全体にわたって、可視光の透過を少なくとも５％だけ抑制する；
−  前記フィルターの平均反射係数は、４２０ｎｍ〜４５０ｎｍ間又は４６０ｎｍ〜４９０ｎｍ間又は４８５ｎｍ〜５１５ｎｍ間又は５６０ｎｍ〜６００ｎｍ間又は５８０ｎｍ〜６２０ｎｍ間に含まれる波長範囲全体にわたって、少なくとも５％である；
−  眼科用レンズは、前記前主面及び／又は前記後主面の前記一部において、１％未満の平均光反射係数を示す；
−  前記フィルターは、吸収フィルター、反射フィルター、及び干渉フィルターから選択される。
【００２６】
本発明はまた、眼科用レンズの装用者に、前記眼科用レンズのレーティングすなわち等級を提供する方法であって：
−  装用者がスクリーンを読みやすくすることができる特別な屈折力を特定するステップ、
−  前記スクリーンに対する装用者の露出を調整するフィルターを特定するステップ、
−  前記特別な屈折力及び前記フィルターに応じてレーティングを決定するステップ、並びに
−  装用者に前記レーティングを提供するステップ
を含む、方法に関する。
【００２７】
非限定的な例として与えられる添付図面を参照する下記の説明は、本発明が何からなるか、及び実施するためにはどのように低減され得るかを明らかにする。
【図面の簡単な説明】
【００２８】
【図１】紙の文書を読んでいる装用者の概略図である。
【図２】デジタル機器のスクリーン上の文書を読んでいる装用者の概略図である。
【図３】本発明による眼科用レンズの面の概略図である。
【図４】図３の眼科用レンズの概略的な側面図である。
【図５】「単焦点」レンズの球面屈折力の変化を、このレンズの垂直軸に沿って示すグラフである。
【図６】多焦点レンズの球面屈折力の変化を、このレンズの垂直軸に沿って示すグラフである。
【発明を実施するための形態】
【００２９】
説明の残りの部分では、「上へ」、「底部」、「水平」、「垂直」、「上側」、「下側」のような用語、又は相対位置を示す他の語を使用し得る。これらの用語は、レンズの装用状態におけるものであると理解される。
【００３０】
特に、レンズの「下方」部分は、装用者の視線方向が鼻先の方へ向けられるときに（視線方向角度β＞０°）、装用者がそこを通して見るレンズのゾーンに対応する。
【００３１】
以下の定義は、本発明を説明するために提供される。
【００３２】
フランクフォルト平面は、装用者の眼窩下点（ｂｏｔｔｏｍ  ｏｒｂｉｔ  ｐｏｉｎｔ）及びポリオンを含む平面であると定義され、ここでは、ポリオンは、外耳道の頭蓋の最高点であり、耳のトラギオンに対応する。
【００３３】
装用者が紙の文書（図１）又はデジタル機器のスクリーン（図２参照）を見ているとき、装用者の姿勢は：
−  装用者の眼−スクリーン距離Ｄ、
−  体幹角度、
−  頭部角度α、
−  体幹角度における頭部、及び
−  下向き視線角β
の様々な特徴によって定義され得る。
【００３４】
装用者の眼−スクリーン距離Ｄは、装用者の両眼とスクリーン２０の中心との間の距離である。
【００３５】
体幹角度（図示せず）は、垂直軸と装用者の体幹の平均軸との間の角度である。
【００３６】
頭部角度αは、水平平面とフランクフォルト平面との間の角度である。
【００３７】
体幹角度における頭部は、体幹角度と頭部角度との和である。
【００３８】
下向き視線角βは、フランクフォルト平面と、装用者の眼の光軸を含む平面との間の角度である。
【００３９】
ここで、本出願人らは、装用者１００の頭部の横転角（ｒｏｌｌ  ａｎｇｌｅ）がゼロであると考える。
【００４０】
処方データは当業界で知られている。
【００４１】
処方データは、装用者に関して獲得され、且つ各眼について、処方された遠方視平均屈折力、及び／又は処方された乱視の値、及び／又は処方された乱視軸、及び／又は各眼の屈折異常及び／又は老眼を補正するのに好適な処方された加入度を示す１つ以上のデータを指す。処方データはまた、装用者に関して獲得され、且つ各眼について、処方された近方視平均屈折力、及び／又は処方された乱視の値、及び／又は処方された乱視軸、及び／又は各眼の屈折異常及び／又は老眼を補正するのに好適な処方された逆加入度（ｄｅｇｒｅｓｓｉｏｎ）を示す１つ以上のデータを指す。
【００４２】
本発明によれば、眼科用レンズは、未屈折補正（プラノとも呼ぶ）又は屈折補正用レンズから選択され得る。屈折補正用レンズは、累進レンズ及び逆加入レンズ（ｄｅｇｒｅｓｓｉｖｅ  ｌｅｎｓ）；単焦点、二重焦点、又はより一般的には多焦点レンズとし得る。レンズは、眼を保護する及び／又は視力を補正するために、眼鏡のフレームに適合するように設計され得る。
【００４３】
そのような眼科用レンズ１０は、前主面１４、後主面１５及び縁１７を有する芯材１６（図４参照）を含む。
【００４４】
レンズの芯材１６は、装用者の処方データに対応する光学特性を眼科用レンズ１０に与えるような形状にされる。
【００４５】
眼科用レンズ１０の光学的視力矯正機能（ｏｐｔｉｃａｌ  ｃｏｒｒｅｃｔｉｖｅ  ｐｏｗｅｒ）は、その球面、円柱、及びプリズム屈折力特性によって定義される。そのような光学的な定義は、純粋に領域（ａｒｅａ）に関する定義よりも一般的な範囲（ｓｃｏｐｅ）を与えることが理解される：入射光線に対するレンズの屈折力の全体的効果を定義し、この全体的効果は、レンズの前面及び後面で順次に作用する屈折力の代数和から生じる。
【００４６】
単焦点レンズは、通常、球面屈折力、円柱屈折力及びプリズム屈折力を有し、これらは、レンズの全表面で一定である。そのような単焦点レンズは、その主面の１つにおいて、レンズの特徴点（例えば光心）の位置を示す十字によって、及び水平線によって印をつけられている。
【００４７】
多焦点レンズは、通常、球面屈折力、円柱屈折力及びプリズム屈折力（これらは、レンズの上方部分（遠方視ゾーン）において一定である）、及び球面屈折力（これは、レンズの底部分（特に近方視ゾーン）において変化する）を有する。そのような多焦点レンズは、特に、３つの主要な光学的な大きさによって定義される：
−  遠方視ゾーンの基準点ＦＶと近方視ゾーンの基準点ＮＶ（図３参照）との間の球面屈折力の変動に等しい「球面屈折力加入度数」；
−  遠方視ゾーンの前記基準点ＦＶにおける屈折力に等しい「公称屈折力（ｎｏｍｉｎａｌ  ｐｏｗｅｒ）」；及び
−  遠方視ゾーンの前記基準点ＦＶにおける円柱屈折力に等しい公称乱視。
【００４８】
この多焦点レンズは、通常、その面の一方において、基準点ＦＶ、ＮＶの位置を示す様々な記号によって印が付けられる。
【００４９】
本発明との関連では、本出願人らはまた、（単焦点又は多焦点）眼科用レンズ１０は、デジタルスクリーン上で読むときに使用する下向き視線角に対応するゾーンにある眼科用レンズの下方部分にある「超近方視ゾーン」１１において「特別な屈折力Ｐ１」を含むことを考慮する。
【００５０】
基準点ＦＶの周りにあるレンズの遠方視ゾーンは、装用者がそこを通して、１メートルを上回る距離に置かれている物体（例えばＴＶスクリーン…）を見るゾーンである。
【００５１】
基準点ＮＶの周りにあるレンズの近方視ゾーンは、装用者がそこを通して、４０センチメートル〜１メートルに含まれる距離に置かれた物体（例えば紙の文書、ラップトップのスクリーン…）を見るゾーンである。
【００５２】
本発明によれば、レンズに設けられた、基準点ＵＮＶの下側の超近方視ゾーン１１は、装用者がそこを通して、４０センチメートル未満の距離に置かれた物体：例えばファブレット、タブレット、スマートフォン又はウォッチのスクリーンを見るゾーンである。このゾーンは、２１°を上回る下向き視線角βに対応する。
【００５３】
具体的な実施形態では、レンズに設けられた超近方視ゾーン１１は、装用者がそこを通して、３５センチメートル未満の距離に置かれた物体：例えばスマートフォンを見るゾーンである。
【００５４】
この超近方視ゾーンでは、特別な屈折力Ｐ１は：
−  単焦点レンズの場合には、光心と、超近方視ゾーンの基準点ＵＮＶとの間、又は
−  多焦点レンズの場合には、近方視ゾーンの基準点ＮＶと超近方視ゾーンの基準点ＵＮＶとの間
の球面屈折力の変化に等しいジオプトリー度数の値であると定義される。
【００５５】
図５に示すように、単焦点レンズの場合には、特別な屈折力Ｐ１は、レンズの表面の残りの部分においてレンズの主球面屈折力Ｐ０の値に加えられた球面屈折力の値である。具体的な実施形態では、装用者が光学補正を必要としないときには、球面屈折力Ｐ０はゼロである。それゆえ、単焦点という用語は実際には適切ではないが、この説明を明瞭にするために使用されていることが理解される。
【００５６】
この図では、本出願人らは、主球面屈折力Ｐ０が、レンズの頂部からレンズの十字印の下４ｍｍの箇所まで一定であることを観察し得る。そこから、球面屈折力は、レンズの十字印の下側１５ｍｍの位置にある点まで連続的に増大する。この点（すなわち基準点ＵＮＶ）において、レンズの球面屈折力は、主球面屈折力Ｐ０と特別な屈折力Ｐ１との和に等しい。そこから、球面屈折力は、「超近方視」ゾーンを規定するレンズの底部まで一定のままである。
【００５７】
具体的には、「超近方視」ゾーンが一定屈折力を有するとき、このゾーンは、安定化された視力ゾーンである。いくつかの実施形態では、本発明による眼科用レンズは、フィルタリング手段を備える、安定化された視力ゾーンを含む。
【００５８】
図６に示すように、多焦点レンズの場合には、特別な屈折力Ｐ１は、基準点ＮＶにおいてレンズの球面屈折力の値に加えられた球面屈折力の値に等しい。
【００５９】
この図では、本出願人らは、レンズの球面屈折力は、レンズの頂部からレンズの基準点ＦＶ（十字印）まで一定であり、第１の安定化された視力ゾーンを規定することを観察し得る。そこから、球面屈折力は、基準点ＦＶの下側１２ｍｍにある点まで連続的に増大する。この点（これは、基準点ＮＶからすぐ近い）において、レンズの球面屈折力は、公称屈折力Ｐ３と球面屈折力加入度数Ｐ２との和に等しい。球面屈折力は、第２の安定化された視力ゾーンを規定する２ｍｍの高さにおいて一定のままであり、そこから、基準点ＮＶの下側１２ｍｍにある点まで連続的に増大する。この点（すなわち基準点ＵＮＶ）において、レンズの球面屈折力は、公称屈折力Ｐ３と球面屈折力加入度数Ｐ２と特別な屈折力Ｐ１との和に等しい。そこから、球面屈折力はレンズの底部まで一定のままであり、第３の安定化された視力ゾーンを規定する。
【００６０】
具体的には、本発明によって獲得された眼科用レンズは、遠方視ゾーン、中間視ゾーン及び近方視ゾーンから選択される少なくとも１つの安定化された視力ゾーンを含む。
【００６１】
図５及び図６に示すこれらの２つの場合には、特別な屈折力Ｐ１は、０．１２５〜１ジオプトリーに含まれる値を有する。
【００６２】
実際に、本発明は、スクリーン２０を見ているときの装用者１００の視力の快適性を向上させるのに好適な眼科用レンズ１０を決定するための方法であって、眼科用レンズは、視力ゾーンを含み、視力ゾーンはフィルタリング手段１２を備え、この方法は：
−  前記スクリーン２０を見ている装用者１００の姿勢α、β、Ｄの少なくとも１つの特徴を決定するステップと、
−  装用者１００が眼科用レンズを装用しているときに前記スクリーン２０をより読みやすくできる、前記視力ゾーンに関連付けられたジオプトリー度数の値Ｐ１を決定するステップと、
−  前記スクリーン２０に対する装用者１００の光の露出を調整するために、フィルタリング手段１２の少なくとも１つの特徴を決定するステップと、
−  前記ジオプトリー度数の値、装用者の姿勢の前記少なくとも１つの特徴、及びフィルタリング手段の前記少なくとも１つの特徴に基づいて視力ゾーンを決定して、眼科用レンズを装用してスクリーンを見ているときに、装用者の視力の快適性が最適にされるようにするステップと
を含む、方法に関する。
【００６３】
この方法は、以下の通り行われる。
【００６４】
第１のステップでは、眼鏡屋は、以下の特徴のうちの少なくとも１つを取得する：
−  例えば以下のリスト：非老眼、老眼手前、老眼進行中、及び老眼から選択される、装用者の老眼の程度、
−  例えば以下のリスト：弱い、中程度、強いから選択される、装用者が感じている眼精疲労の程度、
−  装用者の年齢、並びに
−  例えば以下のリスト：テレビのモニター、デスクトップコンピュータのモニター、ラップトップスクリーン、ファブレットスクリーン、タブレットスクリーン、スマートフォンスクリーン及び／又はウォッチスクリーンから選択される、デジタル機器の使用頻度。
【００６５】
ここで、眼鏡屋は、装用者に質問することによってこれら特徴の全てを取得し、その後、眼鏡屋は、これらの特徴をコンピュータに入力する。別の実施形態では、装用者が、これらの特徴を装用者自身でコンピュータに入力してもよい。
【００６６】
第２のステップでは、眼鏡屋は、装用者の処方を取得する。
【００６７】
本出願人らは、老眼のある装用者の場合を考慮し得る。
【００６８】
この場合、眼鏡屋は、「球面屈折力加入度数」、「公称屈折力」及び公称乱視を取得する。
【００６９】
眼鏡屋はまた、（例えば必要なデータを測定して計算することによって）基準点ＦＶ及びＮＶの位置を取得する。
【００７０】
これらの作業は当業者にはよく知られているため、本願明細書では展開されない。
【００７１】
第３のステップでは、眼鏡屋は、装用者のデジタル機器（ここではスマートフォン）のスクリーン２０を見ている装用者の側面の画像を取得し、これには、カメラ又はそのような写真を撮るのに好適ないずれかの機器を用いる。取得画像を図２に示す。
【００７２】
その後、眼鏡屋は、この画像上で様々な姿勢の特徴を測定して、これら特徴をコンピュータに入力し得る。
【００７３】
しかし、好ましい実施形態では、画像は、装用者の眼−スクリーン距離Ｄ、頭部角度α、及び下向き視線角βを自動的に測定するコンピュータによって処理される。
【００７４】
その後、コンピュータは、特別な屈折力の値Ｐ１、基準点ＵＮＶの位置（特別な屈折力の位置とも呼ぶ）、及び装用者に必要とされるフィルター１２の種類を自動的に計算する。
【００７５】
本出願人らは、初めに、基準点ＵＮＶの位置を決定することを考えるかもしれない。
【００７６】
例えば、デジタル機器がスマートフォンである場合、基準点ＵＮＶは、図５及び図６に示す点に配置され得る。
【００７７】
基準点ＵＮＶの位置は、装用者の眼−スクリーン距離Ｄ及び下向き視線角βに応じて補正され得る。
【００７８】
例えば、装用者の眼−スクリーン距離Ｄが３３ｃｍを下回り且つ下向き視線角βが２５°を上回る場合、基準点ＵＮＶの位置は、図５又は図６に示す位置の下側１ｍｍに置かれ得る。
【００７９】
基準点ＵＮＶの位置は、装用者が使用するデジタル機器の種類、及びデジタル機器の使用頻度に応じて補正され得る。
【００８０】
例えば、装用者が頻繁にスマートフォン上で書く場合、基準点ＵＮＶは、図５又は図６に示す位置の上側１ｍｍに置かれ得る。
【００８１】
本出願人らは、ここで、非老眼の装用者に対する特別な屈折力の値Ｐ１の決定を考慮し得る。
【００８２】
この場合、レンズは単焦点であり、特別な屈折力Ｐ１は：
．  装用者の年齢が２０〜３４歳に含まれる場合には、０．４ジオプトリー、
．  装用者の年齢が３５〜４４歳に含まれる場合には、０．６ジオプトリー、又は
．  装用者の年齢が４５〜５０歳に含まれる場合には、０．８５ジオプトリー
に等しいとし得る。
【００８３】
特別な屈折力の値Ｐ１は、装用者の眼−スクリーン距離Ｄ及び下向き視線角βに応じて補正され得る。
【００８４】
例えば、装用者の眼−スクリーン距離Ｄが３３ｃｍを下回り且つ下向き視線角βが２５°を上回る場合、特別な屈折力の値Ｐ１は、０．１ジオプトリーだけ増加され得る。
【００８５】
特別な屈折力の値Ｐ１はまた、装用者が感じている眼精疲労の程度、及びデジタル機器の使用頻度に応じて、補正され得る。
【００８６】
例えば、特別な屈折力の値Ｐ１は、装用者が中程度の眼精疲労を感じている場合には０．０５ジオプトリーだけ、又は装用者が強い眼精疲労を感じている場合には０．１ジオプトリーだけ増加され得る。
【００８７】
この値はまた、デジタル機器の使用頻度が多い場合には０．１ジオプトリーだけ増加され得る。
【００８８】
本出願人らはまた、老眼のある装用者に対する特別な屈折力の値Ｐ１の決定を考慮し得る。
【００８９】
この場合、レンズは多焦点であり、特別な屈折力Ｐ１は０．１２５〜０．５ジオプトリーに含まれ、及び装用者に必要とされる視野に応じて計算され得る。
【００９０】
例えば、この特別な屈折力Ｐ１は：
−  装用者が狭視野でも強力な拡大を必要とする場合（デジタルスクリーンを高度利用）には、０．５ジオプトリー、
−  装用者が良好な視野を有しながら良好な拡大を必要とする場合（異なる距離で複数のデジタルスクリーンを同時使用）には、０．２５ジオプトリー、又は
−  装用者が、広視野を保ちながら拡大を必要とする場合（ＴＶを見ながら、短い距離でデジタルスクリーンを使用）には、０．１２５ジオプトリー
に等しいとし得る。
【００９１】
老眼又は非老眼の全ての装用者に関し、基準点ＵＮＶの位置は、特別な屈折力Ｐ１に応じて補正され得る。実際、特別な屈折力Ｐ１が大きい場合（例えば０．５ジオプトリー以上）、基準点ＵＮＶは、初めに決定された位置の下側にシフトされ得る（例えば１ｍｍ）。あるいは、基準点ＵＮＶはシフトされない。
【００９２】
特別な屈折力の値Ｐ１及び基準点ＵＮＶの位置は、上述の通り、装用者が感じる眼精疲労の程度、及びデジタル機器の使用頻度に応じて、補正され得る。
【００９３】
この眼科用レンズ１０はまた、前記前主面１４及び／又は前記後主面１５の少なくとも一部に置かれたフィルター１２、１３を含む。
【００９４】
好都合なことに、このフィルター１２、１３は、レンズ１０の一方の面（ここでは前主面１４）の全表面を覆う。
【００９５】
フィルターは、吸収又は反射のいずれかに基づいている。
【００９６】
吸収フィルターは、部分吸収又は全吸収によって光の透過を抑制するように構成されている。これらフィルターは、染料及び／又は色素によって得られるカラーフィルター、フォトクロミックフィルター、偏光フィルターを含む。これらのフィルターはまた、エレクトロクロミックフィルターのように、外部信号によって制御され得る。吸収フィルター用の材料の選択によって、光の特定の吸収スペクトル（ｓｐｅｃｉｆｉｃ  ａｂｓｏｒｐｔｉｏｎ  ｓｐｅｃｔｒｕｍ）を規定する。染料又は色素を使用するときには、それらは、眼科用レンズ基材に、又はプライマー、接着層、浸潤層（ｉｍｂｉｂｉｔｉｏｎ  ｌａｙｅｒ）又はハードコートなどの、眼科用レンズ基材に堆積されるコーティングに組み込まれ得る。
【００９７】
反射フィルターは、部分反射又は全反射によって光の透過を抑制するように構成されている。これらフィルターは、低屈折率材料の層と高屈折率材料の層とを交互にした複層フィルターを含む。これらの層は、有機又は無機とし得る。層の数（４〜数百）、各層の屈折率（無機材料では１．３〜２．５、有機材料では１．４〜１．８）、及び各層の厚さに応じて、反射フィルターは、特定の反射スペクトル（ｓｐｅｃｉｆｉｃ  ｒｅｆｌｅｃｔｉｏｎ  ｓｐｅｃｔｒｕｍ）を有する。複層フィルターは、干渉フィルターと名付けられることも多い。
【００９８】
反射防止フィルター（又は「コーティング」）が、レンズからの反射を最小限にするために広く使用され、装用者の快適性並びに美観を向上させている。一般的に、反射防止設計の主要目的は、可能な限り低い「反射率」を達成する一方で、例えば、製造プロセス、色のロバストネス及び層の数などの、異なる制約を考慮することである。透明基材に堆積されるときには、そのようなコーティングの機能は、その光反射を低下させることであり、それゆえ、その光透過を増加させることである。それゆえ、コーティングされた基材は、その透過光／反射光比が増加されており、それにより、その後ろ側に配置された物体の可視性を向上させる。最大反射防止効果を達成することを求めるとき、基材の両面（前面及び後面）にこのタイプのコーティングを備えることが好ましい。
【００９９】
この反射防止コーティングは、通常、眼科分野で使用される。従って、伝統的な反射防止コーティングは、一般に３８０〜７８０ｎｍのスペクトル範囲内にある可視領域におけるレンズ面での反射を低減させるように設計され且つそのように最適にされる。
【０１００】
反射率は波長に応じているため、及びヒトの眼は様々な波長に対して異なる感度を有するため、反射防止設計の平均光反射Ｒｖは、以下の式によって説明される：
【数１】
2018512621.tif 000003
式中、Ｒ（λ）は、λの波長での反射率であり、Ｖ（λ）は、規格ＣＩＥ  １９３１において定義される眼の感度関数Ｖ（λ）であり、Ｄ６５（λ）は、規格ＣＩＥ  Ｓ００５／Ｅ−１９９８において定義される昼光（ｄａｙｌｉｇｈｔ  ｉｌｌｕｍｉｎａｎｔ）である。
【０１０１】
吸収又は反射による、全てのフィルターは、吸収又は反射スペクトルを備えて設計され、特異的フィルタリング効果、カラーバランス、コントラスト強調又は防幻をもたらし得る。
【０１０２】
最後に、本出願人らは、眼科用レンズ１０の芯材に使用されるフィルター１２の種類の選択を考慮し得る。
【０１０３】
ここで、フィルター１２は、少なくとも５％の抑制率で、可視光スペクトルにある入射光の少なくとも１つの選択波長範囲の、レンズを通した透過を選択的に抑制するように構成される。特に、選択的な光フィルタリング手段は、さらに、少なくとも１つの選択波長範囲外にある可視スペクトルの入射光の少なくとも８％を透過させるように構成されている。
【０１０４】
いくつかの実施形態では、フィルター１２の抑制率（ｉｎｈｉｂｉｔｉｏｎ  ｒａｔｅ）は、少なくとも１０％、又は少なくとも２０％、又は少なくとも３５％、又は少なくとも５０％、又は少なくとも６５％、又は少なくとも８０％である。
【０１０５】
いくつかの実施形態では、選択波長範囲は、幅が１０ｎｍ超及び１５０ｎｍ未満、好ましくは１００ｎｍ未満、一層好ましくは７０ｎｍ未満であり、狭い。
【０１０６】
別の実施形態では、フィルター１２は、以下の波長範囲の少なくとも１つにわたって、少なくとも５％だけ、可視光の透過を抑制する：
−  青−紫光を抑制するための、幅が少なくとも２０ｎｍであり且つ４３５ｎｍに等しい平均波長を中心とする第１の波長範囲、
−  赤／緑のコントラストを増大させるための、幅が少なくとも２０ｎｍであり且つ４７５ｎｍに等しい平均波長を中心とする第２の波長範囲、
−  赤／緑のコントラストを増大させるための、幅が少なくとも２０ｎｍであり且つ５８０ｎｍに等しい平均波長を中心とする第３の波長範囲、
−  青／緑のコントラストを増大させるための、幅が少なくとも２０ｎｍであり且つ５００ｎｍに等しい平均波長を中心とする第４の波長範囲、及び
−  グレアを低減させるための、幅が少なくとも２０ｎｍであり且つ６００ｎｍに等しい平均波長を中心とする第５の波長範囲。
【０１０７】
フィルター１２によって抑制される波長範囲は、装用者によって一般に使用されるデジタル機器の種類に応じて選択される。
【０１０８】
例えば、第１の波長範囲は、スマートフォンを使用することが多い装用者に対して自動的に選択され、及び第５の波長範囲は、暗がりでスクリーンの照度を自動的に低下させる手段を有しないデジタル機器を使用する装用者に対して選択される。
【０１０９】
いくつかの実施形態では、フィルター１２は反射フィルターである。特に、フィルター１２は、４２０ｎｍ〜４５０ｎｍ間、又は４６０ｎｍ〜４９０ｎｍ間、又は４８５ｎｍ〜５１５ｎｍ間、又は５６０ｎｍ〜６００ｎｍ間、又は５８０ｎｍ〜６２０ｎｍ間に含まれる波長範囲全体にわたって、少なくとも５％の平均反射係数を有する。
【０１１０】
特定の実施形態では、フィルター１２は、３０°未満の入射角に対して、１％未満の平均光反射係数Ｒｖを示す。
【０１１１】
追加的な実施形態では、眼科用レンズ１０に、特にデジタル機器のスクリーンで読むためのレンズの性能を装用者に示すために、レーティングＲａが提供される。
【０１１２】
レーティングＲａは：
−  そのようなスクリーンによって放射される青−紫光に関して、眼科用レンズ１０によって装用者にもたらされる保護、及び
−  特別な屈折力のおかげである、眼科用レンズの拡大の性能
を定量する比率に基づく。
【０１１３】
方法は、特別な屈折力Ｐ１、及びレンズのフィルター１２の種類を特定するステップ、前記特別な屈折力Ｐ１及び前記フィルター１２に応じてレーティングＲａを決定するステップ、その後、装用者１００にレンズのレーティングＲａを提供するステップを含む。
【０１１４】
本発明の別の態様は、視力ゾーンを含む眼科用レンズの使用であり、視力ゾーンは：
−  前記スクリーン２０を見ている装用者１００の姿勢α、β、Ｄの少なくとも１つの特徴、
−  装用者１００が眼科用レンズを装用しているときに前記スクリーンを読みやすくすることができる、ジオプトリー度数の値Ｐ１、
−  前記スクリーン２０に対する装用者１００の光の露出を調整するためのフィルタリング手段１２の特徴
に基づくフィルタリング手段を含むため、眼科用レンズを装用してスクリーンを見ているときの装用者の視力の快適性の向上及び／又は眼精疲労の改善及び／又は姿勢の快適性の向上が行われる。
【０１１５】
特に、本発明による眼科用レンズの使用は、新たに発生したデジタル機器の使用に、特に、異なるサイズのいくつかのデジタル機器を同時に使用するとき、例えばＴＶを観ながらテキストメッセージを打つ、コンピュータで作業しながらテキストメッセージを打つ、複数のデジタルスクリーンを用いて作業する又はテレビゲームで遊ぶのに、好適である。
【０１１６】
本発明による眼科用レンズの使用はまた、スマートフォン又はタブレット上で読む又は作業する、デジタルカメラ又はスマートフォン又はタブレットで写真を撮るなどの、非常に近い距離でのデジタル機器の使用に好適である。
【０１１７】
本発明による眼科用レンズの使用は、デジタル機器の高度利用及び／又は長時間使用に特に好適である。
【図１】
2018512621.tif 000004
【図２】
2018512621.tif 000005
【図３】
2018512621.tif 000006
【図４】
2018512621.tif 000007
【図５】
2018512621.tif 000008
【図６】
2018512621.tif 000009
【国際調査報告】
2018512621.tif 000010
2018512621.tif 000011
2018512621.tif 000012
2018512621.tif 000013
2018512621.tif 000014